【手続補正書】
【提出日】平成25年10月7日(2013.10.7)
【手続補正１】
【補正対象書類名】明細書
【補正対象項目名】発明の名称
【補正方法】変更
【補正の内容】
【発明の名称】画像処理装置、画像処理方法、およびプログラム
【手続補正２】
【補正対象書類名】明細書
【補正対象項目名】０００１
【補正方法】変更
【補正の内容】
【０００１】
本発明は、インクを吐出する複数のノズルを備える複数のチップを前記ノズルの配列方向に沿って配置した記録ヘッドを用いて画像を記録するためのデータを処理する画像処理装置、画像処理方法、およびプログラムに関する。
【手続補正３】
【補正対象書類名】明細書
【補正対象項目名】００１０
【補正方法】変更
【補正の内容】
【００１０】
本発明の第１の形態は、複数のノズルが所定方向に配列された、同じ色のインクを吐出するための第１ノズル列と第２ノズル列とが、前記第１ノズル列の一部の複数のノズルと前記第２ノズル列の一部の複数のノズルとの前記所定方向における重複部が同一領域に記録を行うように、前記所定方向にずれて配置された記録ヘッドと、前記記録媒体と、の相対的な走査を行いながら前記記録ヘッドから記記録媒体にインクを吐出することにより画像の記録を行い、前記記録媒体の第１領域に前記第２ノズル列によって記録を行なわず、前記第１ノズル列によって記録を行い、前記記録媒体の前記第１領域と前記所定方向に隣接する前記記録媒体の第２領域に前記重複部の前記第１ノズル列と前記第２ノズル列とのノズルを所定の使用率で用いて記録を行うための画像処理装置であって、前記第１ノズル列の前記重複部および非重複部それぞれを複数に分割した分割部それぞれの連続する複数のノズル毎にそれぞれ対応し、前記各分割部により記録される記録媒体の領域間の色差を低減するように色信号の入力値に応じた出力値を決定するための補正パラメータそれぞれにより前記第１ノズル列によって前記記録媒体の第１、第２の領域に記録を行うための色信号の入力値を補正する補正手段を有し、前記第１ノズル列における前記複数の分割部のうちの、第１の前記補正パラメータが対応する第１の前記分割部と、前記第１のパラメータと別の第２の前記補正パラメータが対応し前記第１の分割部と前記所定方向に隣接する第２の前記分割部との境界は、前記第１ノズル列における前記重複部と前記非重複部との境界と対応することを特徴とする。
【手続補正４】
【補正対象書類名】明細書
【補正対象項目名】００１１
【補正方法】変更
【補正の内容】
【００１１】
本発明の第２の形態は、複数のノズルが所定方向に配列された、同じ色のインクを吐出するための第１ノズル列と第２ノズル列とが、前記第１ノズル列の一部の複数のノズルと前記第２ノズル列の一部の複数のノズルとの前記所定方向における重複部が同一領域に記録を行うように、前記所定方向にずれて配置された記録ヘッドと、前記記録媒体と、の相対的な走査を行いながら前記記録ヘッドから記記録媒体にインクを吐出することにより画像の記録を行い、前記記録媒体の第１領域に前記第２ノズル列によって記録を行なわず、前記第１ノズル列によって記録を行い、前記記録媒体の前記第１領域と前記所定方向に隣接する前記記録媒体の第２領域に前記重複部の前記第１ノズル列と前記第２ノズル列とのノズルを所定の使用率で用いて記録を行うための画像処理方法であって、前記第１ノズル列の前記重複部および非重複部それぞれを複数に分割した分割部を設定する設定工程と、前記設定工程によって設定した複数の分割部それぞれの連続する複数のノズル毎にそれぞれ対応し、前記各分割部により記録される記録媒体の領域間の色差を低減するように色信号の入力値に応じた出力値を決定するための補正パラメータそれぞれにより前記第１ノズル列によって前記記録媒体の第１、第２の領域に記録を行うための色信号の入力値を補正する補正工程と、を有し、前記設定工程は、前記第１ノズル列における前記複数の分割部のうちの、第１の前記補正パラメータが対応する第１の前記分割部と、前記第１のパラメータと別の第２の前記補正パラメータが対応し前記第１の分割部と前記所定方向に隣接する第２の前記分割部との境界を、前記第１ノズル列における前記重複部と前記非重複部との境界と対応して定めることを特徴とする。
本発明の第３の形態は、前記の画像処理方法をコンピュータに実行させるためのプログラムである。
【手続補正５】
【補正対象書類名】特許請求の範囲
【補正対象項目名】全文
【補正方法】変更
【補正の内容】
【特許請求の範囲】
【請求項１】
複数のノズルが所定方向に配列された、同じ色のインクを吐出するための第１ノズル列と第２ノズル列とが、前記第１ノズル列の一部の複数のノズルと前記第２ノズル列の一部の複数のノズルとの前記所定方向における重複部が同一領域に記録を行うように、前記所定方向にずれて配置された記録ヘッドと、前記記録媒体と、の相対的な走査を行いながら前記記録ヘッドから記記録媒体にインクを吐出することにより画像の記録を行い、前記記録媒体の第１領域に前記第２ノズル列によって記録を行なわず、前記第１ノズル列によって記録を行い、前記記録媒体の前記第１領域と前記所定方向に隣接する前記記録媒体の第２領域に前記重複部の前記第１ノズル列と前記第２ノズル列とのノズルを所定の使用率で用いて記録を行うための画像処理装置であって、
前記第１ノズル列の前記重複部および非重複部それぞれを複数に分割した分割部それぞれの連続する複数のノズル毎にそれぞれ対応し、前記各分割部により記録される記録媒体の領域間の色差を低減するように色信号の入力値に応じた出力値を決定するための補正パラメータそれぞれにより前記第１ノズル列によって前記記録媒体の第１、第２の領域に記録を行うための色信号の入力値を補正する補正手段を有し、
前記第１ノズル列における前記複数の分割部のうちの、第１の前記補正パラメータが対応する第１の前記分割部と、前記第１のパラメータと別の第２の前記補正パラメータが対応し前記第１の分割部と前記所定方向に隣接する第２の前記分割部との境界は、前記第１ノズル列における前記重複部と前記非重複部との境界と対応することを特徴とする画像処理装置。
【請求項２】
前記第１ノズル列において、前記第１の分割部と前記第２の分割部との境界は前記重複部と前記非重複部との境界であることを特徴とする請求項１に記載の画像処理装置。
【請求項３】
前記第１ノズル列において、前記第１の分割部と前記第２の分割部との境界は前記重複部と前記非重複部との境界の近傍であることを特徴とする請求項１に記載の画像処理装置。
【請求項４】
前記第１ノズル列において、前記第１の分割部は前記重複部の前記非重複部側の端のノズルを含むことを特徴とする請求項１ないし３のいずれか一項に記載の画像処理装置。
【請求項５】
前記第１ノズル列と前記第２ノズル列とは互いに異なるチップに設けられていることを特徴とする請求項１ないし４のいずれか一項に記載の画像処理装置。
【請求項６】
前記補正パラメータは１つの色要素の色信号の入力値に応じた１つの色要素の出力値を決定するための補正パラメータであることを特徴とする請求項１ないし５のいずれか一項に記載の画像処理装置。
【請求項７】
前記補正パラメータは複数の色要素の色信号の入力値に応じた複数の色要素の出力値を決定するための補正パラメータであることを特徴とする請求項１ないし６のいずれか一項に記載の画像処理装置。
【請求項８】
前記重複部の前記所定方向におけるノズル数と前記非重複部のノズル数との２以上の公約数のノズル数のノズル毎に別々の前記補正パラメータが対応することを特徴とする請求項１ないし７のいずれか一項に記載の画像処理装置。
【請求項９】
前記記録ヘッドには、前記第１ノズル列から吐出されるインクの色と異なる色のインクを吐出するための第３ノズル列と第４ノズル列とが、前記第１ノズル列の一部の複数のノズルと前記第２ノズル列の一部の複数のノズルとの前記所定方向における重複部が同一領域に記録を行うように、前記所定方向にずれて配置され、
前記第１ノズル列と前記第２ノズル列との第１前記重複部と前記第３ノズル列と前記第４ノズル列との前記重複部とが前記所定方向に離れており、
前記第１重複部と前記第２重複部とそれぞれの前記所定方向におけるノズル数それぞれと前記所定方向における前記第１重複部と前記第２重複部との間のノズル数との２以上の公約数のノズル数のノズル毎に別々の前記補正パラメータが対応することを特徴とする請求項１ないし８のいずれか一項に記載の画像処理装置。
【請求項１０】
前記第１ノズル列の複数のノズルの吐出特性に関する吐出特性情報を取得する取得手段と、
前記補正パラメータそれぞれを、前記吐出特性情報が示す前記吐出特性に基づき決定する決定手段と、
をさらに有することを特徴とする請求項１ないし９のいずれか一項に記載の画像処理装置。
【請求項１１】
前記記録ヘッドに、前記記録媒体の第１領域に前記第２ノズル列によって記録を行なわず、前記第１ノズル列によって記録を行い、前記記録媒体の前記第１領域と前記所定方向に隣接する前記記録媒体の第２領域に前記重複部の前記第１ノズル列と前記第２ノズル列とのノズルを所定の使用率で用いて記録を行うことによりテストパターン形成させるパターン形成手段を有し、
前記決定手段は前記補正パラメータそれぞれを前記テストパターンに基づいて決定することを特徴とする請求項１ないし１０のいずれか一項に記載の画像処理装置。
【請求項１２】
前記パターン形成手段は前記記録ヘッドに、前記第１および第２領域に前記第１ノズル列から吐出されるインクの色と異なる色のインクをさらに吐出することにより混色のテストパターンを形成させ、
前記決定手段は前記補正パラメータそれぞれを前記混色のテストパターンに基づいて決定することを特徴とする請求項１１に記載の画像処理装置。
【請求項１３】
複数のノズルが所定方向に配列された、同じ色のインクを吐出するための第１ノズル列と第２ノズル列とが、前記第１ノズル列の一部の複数のノズルと前記第２ノズル列の一部の複数のノズルとの前記所定方向における重複部が同一領域に記録を行うように、前記所定方向にずれて配置された記録ヘッドと、前記記録媒体と、の相対的な走査を行いながら前記記録ヘッドから記記録媒体にインクを吐出することにより画像の記録を行い、前記記録媒体の第１領域に前記第２ノズル列によって記録を行なわず、前記第１ノズル列によって記録を行い、前記記録媒体の前記第１領域と前記所定方向に隣接する前記記録媒体の第２領域に前記重複部の前記第１ノズル列と前記第２ノズル列とのノズルを所定の使用率で用いて記録を行うための画像処理方法であって、
前記第１ノズル列の前記重複部および非重複部それぞれを複数に分割した分割部を設定する設定工程と、
前記設定工程によって設定した複数の分割部それぞれの連続する複数のノズル毎にそれぞれ対応し、前記各分割部により記録される記録媒体の領域間の色差を低減するように色信号の入力値に応じた出力値を決定するための補正パラメータそれぞれにより前記第１ノズル列によって前記記録媒体の第１、第２の領域に記録を行うための色信号の入力値を補正する補正工程と、を有し、
前記設定工程は、前記第１ノズル列における前記複数の分割部のうちの、第１の前記補正パラメータが対応する第１の前記分割部と、前記第１のパラメータと別の第２の前記補正パラメータが対応し前記第１の分割部と前記所定方向に隣接する第２の前記分割部との境界を、前記第１ノズル列における前記重複部と前記非重複部との境界と対応して定めることを特徴とする画像処理方法。
【請求項１４】
前記第１ノズル列において、前記第１の分割部と前記第２の分割部との境界は前記重複部と前記非重複部との境界であることを特徴とする請求項１３に記載の画像処理方法。
【請求項１５】
前記第１ノズル列において、前記第１の分割部と前記第２の分割部との境界は前記重複部と前記非重複部との境界の近傍であることを特徴とする請求項１３に記載の画像処理方法。
【請求項１６】
前記第１ノズル列において、前記第１の分割部は前記重複部の前記非重複部側の端のノズルを含むことを特徴とする請求項１３ないし１５のいずれか一項に記載の画像処理方法。
【請求項１７】
前記第１ノズル列と前記第２ノズル列とは互いに異なるチップに設けられていることを特徴とする請求項１３ないし１６のいずれか一項に記載の画像処理方法。
【請求項１８】
前記補正パラメータは１つの色要素の色信号の入力値に応じた１つの色要素の出力値を決定するための補正パラメータであることを特徴とする請求項１３ないし１７のいずれか一項に記載の画像処理方法。
【請求項１９】
前記補正パラメータは複数の色要素の色信号の入力値に応じた複数の色要素の出力値を決定するための補正パラメータであることを特徴とする請求項１３ないし１８のいずれか一項に記載の画像処理方法。
【請求項２０】
前記重複部の前記所定方向におけるノズル数と前記非重複部のノズル数との２以上の公約数のノズル数のノズル毎に別々の前記補正パラメータが対応することを特徴とする請求項１３ないし１９のいずれか一項に記載の画像処理方法。
【請求項２１】
前記記録ヘッドには、前記第１ノズル列から吐出されるインクの色と異なる色のインクを吐出するための第３ノズル列と第４ノズル列とが、前記第１ノズル列の一部の複数のノズルと前記第２ノズル列の一部の複数のノズルとの前記所定方向における重複部が同一領域に記録を行うように、前記所定方向にずれて配置され、
前記第１ノズル列と前記第２ノズル列との第１前記重複部と前記第３ノズル列と前記第４ノズル列との前記重複部とが前記所定方向に離れており、
前記第１重複部と前記第２重複部とそれぞれの前記所定方向におけるノズル数それぞれと前記所定方向における前記第１重複部と前記第２重複部との間のノズル数との２以上の公約数のノズル数のノズル毎に別々の前記補正パラメータが対応することを特徴とする請求項１３ないし２０のいずれか一項に記載の画像処理方法。
【請求項２２】
前記第１ノズル列の複数のノズルの吐出特性に関する吐出特性情報を取得する取得工程と、
前記補正パラメータそれぞれを、前記吐出特性情報が示す前記吐出特性に基づき決定する決定工程と、
をさらに有することを特徴とする請求項１３ないし２１のいずれか一項に記載の画像処理方法。
【請求項２３】
前記記録ヘッドに、前記記録媒体の第１領域に前記第２ノズル列によって記録を行なわず、前記第１ノズル列によって記録を行い、前記記録媒体の前記第１領域と前記所定方向に隣接する前記記録媒体の第２領域に前記重複部の前記第１ノズル列と前記第２ノズル列とのノズルを所定の使用率で用いて記録を行うことによりテストパターン形成させるパターン形成工程を有し、
前記決定工程において、前記補正パラメータそれぞれを前記テストパターンに基づいて決定することを特徴とする請求項１３ないし２２のいずれか一項に記載の画像処理方法。
【請求項２４】
前記パターン形成工程において、前記記録ヘッドに、前記第１および第２領域に前記第１ノズル列から吐出されるインクの色と異なる色のインクをさらに吐出することにより混色のテストパターンを形成させ、
前記決定手段は前記補正パラメータそれぞれを前記混色のテストパターンに基づいて決定することを特徴とする請求項１３ないし２３のいずれか一項に記載の画像処理方法。
【請求項２５】
請求項１３ないし２４のいずれか一項に記載の画像処理方法をコンピュータに実行させるためのプログラム。